(57)【要約】【課題】  簡単にBluetooth接続の切断と接続を行うことができる無線通信装置を提供すること【解決手段】  第１の無線通信手段によって対向機器と接続し、第１の無線通信手段を介して、対向機器と対応付けられた第２の無線通信に関する識別情報を受信し、受信した第２の無線通信に関する識別情報と異なる第２の無線通信に関する識別情報を有する機器と第２の無線通信手段によって接続している場合には、接続中の第２の無線通信を切断し、対向機器から取得した第２の無線通信に関する識別情報を有する機器と第２の無線通信手段によって接続する。【選択図】  図２
2011147004.tif 000002
【特許請求の範囲】
【請求項１】
第１の無線通信を行う第１の無線通信手段と、
前記第１の無線通信とは異なる第２の無線通信を行う第２の無線通信手段と、
前記第１の無線通信手段によって対向機器と通信し、当該対向機器と対応付けられた機器の第２の無線通信に関する識別情報を受信し、受信した第２の無線通信に関する識別情報が前記第２の無線通信手段によって接続中の機器の第２の無線通信に関する識別情報と異なるならば、前記第２の無線通信手段によって接続中の機器との第２の無線通信接続を切断する制御手段とを有することを特徴とする無線通信装置。
【請求項２】
前記制御手段は、前記第２の無線通信手段によって接続中の機器との第２の無線通信接続を切断するよう制御した後に、前記第１の無線通信手段によって受信した第２の無線通信に関する識別情報を有する機器との第２の無線通信接続を確立することを特徴とする請求項１に記載の無線通信装置。
【請求項３】
前記制御手段は、前記第１の無線通信手段によって受信した第２の無線通信に関する識別情報を有する機器との第２の無線通信接続を確立に失敗した場合、前記第１の無線通信手段によって受信した第２の無線通信に関する識別情報を有する機器とは異なる機器からの接続要求を拒否することを特徴とする請求項２に記載の無線通信装置。
【請求項４】
前記制御手段は、前記第２の無線通信手段によって接続中の機器との第２の無線通信接続を切断するよう制御した後に、前記第１の無線通信手段によって受信した第２の無線通信に関する識別情報を有する機器からの接続要求を受け付け、前記第１の無線通信手段によって受信した第２の無線通信に関する識別情報を有する機器とは異なる機器からの接続要求を拒否することを特徴とする請求項１に記載の無線通信装置。
【請求項５】
前記制御手段は、前記第１の無線通信手段によって受信した第２の無線通信に関する識別情報を有する機器とは異なる機器からの接続要求を拒否する状態のときに、前記第１の無線通信手段によって第１の無線通信を行うと、その後の前記第１の無線通信手段によって受信した第２の無線通信に関する識別情報を有する機器とは異なる機器からの接続要求を受け付けることを特徴とする請求項３または請求項４に記載の無線通信装置。
【請求項６】
前記第１の無線通信手段によって受信した第２の無線通信に関する識別情報を有する機器とは異なる機器からの接続要求を拒否する状態に設定されてからの経過時間を計時する計時手段を更に有し、
前記制御手段は、前記計時手段によって計時された経過時間が所定の時間を超えた場合に、その後の前記第１の無線通信手段によって受信した第２の無線通信に関する識別情報を有する機器とは異なる機器からの接続要求を受け付けることを特徴とする請求項３または請求項４に記載の無線通信装置。
【請求項７】
第１の無線通信を行う第１の無線通信手段と、
前記第１の無線通信とは異なる第２の無線通信を行う第２の無線通信手段と、
第１の無線通信手段によって第１の無線通信を行う対向機器の第１の無線通信に関する識別情報と対応付けて第２の無線通信に関する識別情報を記憶する記憶手段と、
前記第１の無線通信手段によって対向機器と通信し、当該対向機器の第１の無線通信に関する識別情報を受信し、この第１の無線通信に関する識別情報と対応付けて前記記憶手段に記憶されている第２の無線通信に関する識別情報が、前記第２の無線通信手段によって接続中の機器の第２の無線通信に関する識別情報と異なるならば、前記第２の無線通信手段によって接続中の機器との第２の無線通信接続を切断する制御手段とを有することを特徴とする無線通信装置。
【請求項８】
前記制御手段は、前記第２の無線通信手段によって接続中の機器との第２の無線通信接続を切断するよう制御した後に、前記第１の無線通信手段によって受信した第１の無線通信に関する識別情報と対応付けて前記記憶手段に記憶されている第２の無線通信に関する識別情報を有する機器との第２の無線通信接続を確立することを特徴とする請求項７に記載の無線通信装置。
【請求項９】
前記制御手段は、前記第１の無線通信手段によって受信した第１の無線通信に関する識別情報と対応付けて前記記憶手段に記憶されている第２の無線通信に関する識別情報を有する機器との第２の無線通信接続を確立に失敗した場合、前記第１の無線通信手段によって受信した第１の無線通信に関する識別情報と対応付けて前記記憶手段に記憶されている第２の無線通信に関する識別情報を有する機器とは異なる機器からの接続要求を拒否することを特徴とする請求項８に記載の無線通信装置。
【請求項１０】
前記制御手段は、前記第２の無線通信手段によって接続中の機器との第２の無線通信接続を切断するよう制御した後に、前記第１の無線通信手段によって受信した第１の無線通信に関する識別情報と対応付けて前記記憶手段に記憶されている第２の無線通信に関する識別情報を有する機器からの接続要求を受け付け、前記第１の無線通信手段によって受信した第１の無線通信に関する識別情報と対応付けて前記記憶手段に記憶されている第２の無線通信に関する識別情報を有する機器とは異なる機器からの接続要求を拒否することを特徴とする請求項７に記載の無線通信装置。
【請求項１１】
前記制御手段は、前記第１の無線通信手段によって受信した第１の無線通信に関する識別情報と対応付けて前記記憶手段に記憶されている第２の無線通信に関する識別情報を有する機器とは異なる機器からの接続要求を拒否する状態のときに、前記第１の無線通信手段によって第１の無線通信を行うと、その後の前記第１の無線通信手段によって受信した第１の無線通信に関する識別情報と対応付けて前記記憶手段に記憶されている第２の無線通信に関する識別情報を有する機器とは異なる機器からの接続要求を受け付けることを特徴とする請求項９または請求項１０に記載の無線通信装置。
【請求項１２】
前記第１の無線通信手段によって受信した第１の無線通信に関する識別情報と対応付けて前記記憶手段に記憶されている第２の無線通信に関する識別情報を有する機器とは異なる機器からの接続要求を拒否する状態に設定されてからの経過時間を計時する計時手段を更に有し、
前記制御手段は、前記計時手段によって計時された経過時間が所定の時間を超えた場合に、その後の前記第１の無線通信手段によって受信した第１の無線通信に関する識別情報と対応付けて前記記憶手段に記憶されている第２の無線通信に関する識別情報を有する機器とは異なる機器からの接続要求を受け付けることを特徴とする請求項９または請求項１０に記載の無線通信装置。
【発明の詳細な説明】
【技術分野】
【０００１】
本発明は無線通信装置に関する。
【背景技術】
【０００２】
近年、携帯電話機やＰＣに代表される電子機器は、Bluetooth（登録商標）、無線ＬＡ
Ｎ、ＮＦＣ（Near Field Communication）等、複数の無線通信機能を有するようになってきている。このような電子機器において、例えばＮＦＣのような近接無線通信方式を用いて、Bluetoothや無線ＬＡＮのような近接無線通信方式よりも長い距離間で通信可能であ
って、比較的高速な通信が可能な通信方式の設定情報を交換してBluetoothや無線ＬＡＮ
に通信を引き継ぐ技術（コネクションハンドオーバ：Connection Handover、以下ハンド
オーバと称する）や、Bluetoothまたは無線ＬＡＮによって接続中のデバイスを近接無線
通信によって検出すると、そのデバイスとのBluetooth接続または無線ＬＡＮ接続を切断
する技術が提案されている（例えば、特許文献１参照）。
【先行技術文献】
【特許文献】
【０００３】
【特許文献１】特表２００９−５２１１６２号公報
【発明の概要】
【発明が解決しようとする課題】
【０００４】
しかしながら、例えば、第１のデバイスとBluetoothによって接続している状態で、第
２のデバイスとBluetooth接続を行いたい場合、特許文献１に記載される発明では、第１
のデバイスとの接続を切断するためのユーザ操作を行った後に、第２のデバイスとの接続を確立するためのユーザ操作を行う必要があり、操作が煩雑であるという問題点がある。
【０００５】
そこで本発明は、簡単に無線通信の切断と接続を行うことができる無線通信装置を提供することを目的とする。
【課題を解決するための手段】
【０００６】
上記目的を達成するために、本発明による無線通信装置は、第１の無線通信を行う第１の無線通信手段と、前記第１の無線通信とは異なる第２の無線通信を行う第２の無線通信手段と、前記第１の無線通信手段によって対向機器と通信し、当該対向機器と対応付けられた機器の第２の無線通信に関する識別情報を受信し、受信した第２の無線通信に関する識別情報が前記第２の無線通信手段によって接続中の機器の第２の無線通信に関する識別情報と異なるならば、前記第２の無線通信手段によって接続中の機器との第２の無線通信接続を切断する制御手段とを有することを特徴としている。
【発明の効果】
【０００７】
本発明によれば、簡単に無線通信の切断と接続を行うことができる無線通信装置を提供することができる。
【図面の簡単な説明】
【０００８】
【図１】本発明の実施形態に係る携帯電話機の構成を示すブロック図。
【図２】本発明の実施形態に係る携帯電話機の処理の一例を表すフローチャート。
【図３】本発明の実施形態に係る携帯電話機の具体的な処理の一例を示すシーケンス図。
【図４】本発明の実施形態に係る携帯電話機の処理の一例を表すフローチャート。
【発明を実施するための形態】
【０００９】
以下、本発明の実施形態について図面を参照して説明する。本実施形態では、無線通信装置の一例として携帯電話機を用いる。ただし、無線通信装置は複数の無線通信手段を有する装置であれば良く、例えばスマートフォン、ＰＣなどの装置であっても良い。
【００１０】
図１は、本実施形態に関する携帯電話機の構成を示すブロック図である。携帯電話機１は、制御部５１、操作部５２、表示部５３、音声入出力部５４、網通信部５５、記憶部５６、Bluetooth通信部５７、ＮＦＣ通信部５８から構成される。
【００１１】
制御部５１は、ＣＰＵなどから構成され、携帯電話機１としての一般的なアプリケーションを実行する。また、制御部５１は、Bluetooth通信部５７の制御を行うBluetooth制御部５１ａ、ＮＦＣ通信部５８の制御を行うＮＦＣ制御部５１ｂを有する。
【００１２】
操作部５２は、操作キーまたはタッチパネル、タッチセンサなどから構成され、ユーザの操作に応じた信号を制御部５１に入力する。
【００１３】
表示部５３は、液晶ディスプレイや有機ＥＬディスプレイなどによって構成され、制御部５１の制御により、アプリケーションの動作に応じた文字や画像を表示する。
【００１４】
音声入出力部５４は、スピーカおよびマイクロフォンから成り、無線電話通信部５５による音声通話の通話音声の入出力や、音楽コンテンツや動画コンテンツの音声・音楽の出力などを行う。
【００１５】
網通信部５５は、基地局を介して音声通信やパケット通信を行う。例えば、音声通信によって音声を送信する場合、音声入出力部５４のマイクロフォンから音声を収音して得られた音声データに対して、符号化や誤り制御などの信号処理を行ったデータを電波に変換して、基地局へ送信する。また、受話音声は、基地局からの電波を受信し、電波から電気信号に変換した後、復号や誤り訂正などの信号処理を行い、音声入出力部５４のスピーカから音声を出力する。
【００１６】
記憶部５６は、制御部５１が行う処理についての処理プログラムや処理に必要なデータなどを格納するＲＯＭ（Ｒｅａｄ  Ｏｎｌｙ  Ｍｅｍｏｒｙ）やハードディスク、不揮発性メモリ、データベース、主制御部２１が処理を行う際に使用されるデータを一時的に記憶するＲＡＭ（Ｒａｎｄｏｍ  Ａｃｃｅｓｓ  Ｍｅｍｏｒｙ）などから構成される。
【００１７】
Bluetooth通信部５７は、Bluetoothの通信モジュールなどから構成され、制御部５１からの制御に応じて動作し、ＨＦＰによってハンズフリー機器での音声通話を可能としたり、Ａ２ＤＰ（Advanced Audio Distribution Profile）によってオーディオケーブルを用
いることなく、対向機器にオーディオデータを転送したりすることができる。
【００１８】
ＮＦＣ通信部５８は、ＮＦＣの通信モジュールなどから構成され、制御部５１からの指示に基づき、対向機器とのＮＦＣ通信の確立や、対向機器とのＮＦＣ通信によるデータの送受信を行う。
【００１９】
以上のような構成を有する携帯電話機１とBluetooth通信が可能な端末として、例えば
ヘッドセットと車載機器（例えば、カーナビ）とを想定する。なお、この車載機器が搭載されている車両には、運転席のドアにドア開錠・施錠のためのＮＦＣモジュールが設置されており、ＮＦＣモジュールの記憶装置に当該車載機器のBluetoothアドレスが記憶され
ている。
【００２０】
図２は、携帯電話機１がある機器（例えばヘッドセット）とBluetooth接続していると
きに、ＮＦＣ通信可能な他の機器（例えばＮＦＣモジュール）とＮＦＣ通信可能な位置まで近接されたときに制御部５１で実行される処理を示すフローチャートである。
【００２１】
携帯電話機１が第１の機器とBluetooth接続している状態で、ＮＦＣ通信可能な第２の
機器と通信可能な位置まで近接されると（Ｓ１０１）、第２の機器との間で認証を行い、ＮＦＣ通信の接続を確立する（Ｓ１０２）。携帯電話機１と第２の機器とのＮＦＣ通信は、どちらか一方が機能的に主であり他方が従であっても良いし、機能的に対等で相互に通信しあえる状態であっても良い。確立したＮＦＣ通信によって、第２の機器と対応付けられているBluetoothデバイスのBluetoothアドレスを取得する（Ｓ１０３）。
【００２２】
Bluetoothアドレスの取得は、NFC Forum(TM)によってリリースされているconnection handoverに関する仕様（Connection Handover 1.1）に定められているハンドオーバ機能を用いて取得する方法がある。また、事前にＮＦＣモジュールの識別情報とBluetoothアド
レスとを対応付けて携帯電話機１の記憶部５６に記憶しておき、ＮＦＣ通信によって通知されるＮＦＣモジュールの識別情報と対応付けて記憶部５６に記憶されているBluetooth
アドレスを取得する方法も考えられる。これら２つのBluetoothアドレス取得方法は、い
ずれか一方のみを用いる（常にハンドオーバ機能によるBluetoothアドレスの取得のみを
行う、もしくは、常に事前に記憶した対応付けを用いたBluetoothアドレスの取得のみを
行う）としても良いし、いずれか一方を優先的に用いる（ハンドオーバ機能によるBluetoothアドレスが取得できなかった場合に事前に記憶した対応付けを用いてBluetoothアドレスを用いる、もしくは、事前に記憶した対応付けを用いてBluetoothアドレスを取得でき
なかった場合にハンドオーバ機能によって取得したBluetoothアドレスを用いる）として
も良い。
【００２３】
そして制御部５１は、ステップＳ１０３で取得したBluetoothアドレスが、現在Bluetooth接続中の対向機器のBluetoothアドレスと一致するか否かを判断する（Ｓ１０４）。な
お、図示しないが、ステップＳ１０３の時点でBluetooth接続中の機器が無ければ、取得
したBluetoothアドレスを有する機器とのBluetooth接続を確立する。
【００２４】
取得したBluetoothアドレスと現在Bluetooth接続中の機器のBluetoothアドレスとが一
致する場合（Ｓ１０４のＹｅｓ）、現在Bluetooth接続中の第１の機器との接続を維持す
る。取得したBluetoothアドレスと現在Bluetooth接続中の機器のBluetoothアドレスが一
致しない場合（Ｓ１０４のＮｏ）、現在Bluetooth接続中の第１の機器とは異なる機器へ
のBluetooth接続が要求されたと判断する。そこで、Bluetooth通信によって、現在接続中の第１の機器に対してBluetooth接続を切断する要求を送信し、第１の機器とのBluetooth接続を切断する（Ｓ１０５）。
【００２５】
そして、ステップＳ１０５によってBluetooth接続の切断が完了した後に、ステップＳ
１０３によって取得したBluetoothアドレスを有する機器とのBluetooth接続を要求する（Ｓ１０６）。ステップＳ１０３で、ハンドオーバ機能によってBluetoothアドレスを取得
する場合、Bluetoothアドレスの他に、ペアリングに用いるハッシュやランダム値などの
セキュリティ情報を対向機器からＮＦＣ通信によって取得することができ、これらの情報を用いてBluetoothの接続を確立することができる。
【００２６】
ステップＳ１０６で、取得したBluetoothアドレスを有する機器へBluetooth接続を要求したとしても、Bluetooth接続が確立できない場合がある。例えばステップＳ１０３で、
第２の機器として上述のＮＦＣモジュールを考えた場合、ＮＦＣモジュールから取得したBluetoothアドレスを有する車載機器のBluetooth機能がＯＮの状態でない場合や、車載機器自体の電源がＯＮの状態ではない場合である。そこで、Bluetooth接続の確立に成功し
なかった場合は（Ｓ１０７のＮｏ）、ステップＳ１０３で取得したBluetoothアドレスを
有する機器からの接続要求のみを受け付けるモードに設定する。
【００２７】
このモードに設定することによって、ステップＳ１０３で取得したBluetoothアドレス
を有する機器とは異なる機器からの不要な接続を排除することができ、確実にステップＳ１０３で取得したBluetoothアドレスを有する機器とのBluetooth接続を確立することができる。ステップＳ１０３で取得したBluetoothアドレスを有する機器からの接続要求のみ
を受け付けるモードに設定されているときには（Ｓ１０８のＮｏ）、ステップＳ１０３で取得したBluetoothアドレスを有する機器以外からの接続要求は拒否する（Ｓ１０９）。
【００２８】
なお、接続要求の拒否とは、ステップＳ１０３で取得したBluetoothアドレスを有する機
器以外からの接続要求を受信したとしても、Bluetooth接続を確立しない場合だけでなく
、ステップＳ１０３で取得したBluetoothアドレスを有する機器以外からの接続要求を受
信したときに、Bluetooth接続を確立したとしてもサービス開始前に切断する場合を含む
。
【００２９】
そして、ステップＳ１０３で取得したBluetoothアドレスを有する機器からの接続要求の
みを受け付けるモードのときに、ステップＳ１０３で取得したBluetoothアドレスを有す
る機器からの接続要求を受け付けると（Ｓ１０８のＹｅｓ）、当該対向機器とのBluetooth接続を確立し（Ｓ１１０）、ステップＳ１０３で取得したBluetoothアドレスを有する機器からの接続要求のみを受け付けるモードを解除する。
【００３０】
なお、ステップＳ１０３で取得したBluetoothアドレスを有する機器からの接続要求の
みを受け付けるモードは、このモード設定中にステップＳ１０１で検出したＮＦＣ通信可能な第２の機器に再度ＮＦＣ通信可能な位置まで近接され、ＮＦＣ接続が確立することによって解除しても良い。また、モード設定中にステップＳ１０１で検出した第２の機器とは異なるＮＦＣ通信可能な機器にＮＦＣ通信可能な位置まで近接され、ＮＦＣ接続が確立することによって解除しても良い。もしくは、携帯電話機１が有する計時手段（図示せず）によって当該モード設定時からの経過時刻を算出し、経過時刻が所定の時間を超えたことを検出すると、このモードを解除しても良い。
【００３１】
このようにステップＳ１０３で取得したBluetoothアドレスを有する機器からの接続要
求のみを受け付けるモードを解除することによって、ステップＳ１０３で取得したBluetoothアドレスを有する機器とは異なる機器からの不要な接続を排除する状態が永続しない
。例えば、車のドアに設置されたＮＦＣモジュールとの通信に応じてドアの開錠と施錠を行うとともに、ドアの開錠時（つまり、乗車することが予想される時）に車に設置された車載機器とBluetooth接続を行いたい場合、ドアの開錠時に車載機器の電源がＯＮでなけ
れば車載機器とのBluetooth接続を確立できずに、車載機器からの接続要求のみを受け付
けるモードに設定されるが、車から降りたときには車載機器とのBluetooth接続が不要と
なるため、ＮＦＣモジュールとＮＦＣ通信を行ってドアを施錠することに応じて車載機器からの接続要求のみを受け付けるモードを解除することによって、他の機器（例えばヘッドセット）からのBluetooth接続を受け付けることができる。
【００３２】
以上のような処理によって、第１の機器とBluetoothによる接続を確立しているときに
、第２の機器とのBluetooth接続に切替えたい場合、ユーザは第２の機器とＮＦＣ通信可
能な距離に近接させるという１ステップの処理だけで、第１の機器とのBluetooth接続を
切断するとともに、第２の機器とのBluetooth接続を確立することができる。つまり、ユ
ーザの手間を省いて迅速にBluetooth接続先の機器を切替えることができる。
【００３３】
図３は、図２のフローチャートに示した処理を行う携帯電話機１がヘッドセットとBluetooth接続しているときに車載機器へBluetooth接続先を切替える具体的な処理のシーケンス図である。
【００３４】
まず、携帯電話機１はヘッドセットとBluetooth接続が確立している状態である（Ｓ１
２１）。この状態で、携帯電話機１が車に設置されたドア開錠・施錠のためのＮＦＣモジュールとＮＦＣ通信可能な距離まで近接されたことを検知すると、携帯電話機１とＮＦＣモジュールとの間でＮＦＣ接続を確立する（Ｓ１２２）。なお、図示しないが、このＮＦＣ接続が確立した後、ＮＦＣモジュールは携帯電話機１の認証を行って、車のドアの開錠を行う。ステップＳ１２２で携帯電話機１とＮＦＣモジュールとのＮＦＣ通信が確立すると、ＮＦＣモジュールから携帯電話機１へハンドオーバ要求が送信される（Ｓ１２３）。
【００３５】
このハンドオーバ要求では、ＮＦＣモジュールと対応付けられた車載機器のBluetoothア
ドレスおよびペアリングに用いるハッシュやランダム値などのセキュリティ情報が通知される。携帯電話機１のＮＦＣ通信部５８はこのハンドオーバ要求を受信し、ＮＦＣ制御部５１ｂへハンドオーバ要求を通知する。そして、ＮＦＣ通信部５８は、ＮＦＣ制御部５１ｂの制御に従って、ハンドオーバ要求に対する応答であるハンドオーバ応答をＮＦＣモジュールへ送信する（Ｓ１２４）。このハンドオーバ応答には、携帯電話機１のBluetooth
アドレスが含まれている場合も含まれていない場合も考えられる。
【００３６】
携帯電話機１のBluetooth制御部５１ａは、ＮＦＣ制御部５１ｂから通知される車載機
器のBluetoothアドレスと、現在Bluetooth接続中の機器（ヘッドセット）のBluetoothア
ドレスとが一致しないことを検知する（Ｓ１２５）。そこで、Bluetooth制御部５１ａは
、Bluetooth通信部５７を用いて、ヘッドセットに対してBluetooth切断要求を送信し（Ｓ１２６）、ヘッドセットからBluetooth切断要求に対するBluetooth切断応答を受信し（Ｓ１２７）、ヘッドセットとのBluetooth接続を切断する（Ｓ１２８）。
【００３７】
その後、携帯電話機１のBluetooth制御部５１ａは、ＮＦＣモジュールからのハンドオ
ーバ要求によって通知されたBluetoothアドレスを有する機器（車載機器）と、通知され
たセキュリティ情報を用いてＳＳＰ（Secure Simple Pairing）方式による認証処理を行
い（Ｓ１３１）、認証処理が完了すると、当該機器（車載機器）に対してBluetooth接続
確立の要求を送信し（Ｓ１２９）、車載機器から接続確立の要求に対する応答を受信する（Ｓ１３０）。これによって、車載機器とのBluetooth接続が確立した状態となる（Ｓ１
３２）。
【００３８】
図４は、携帯電話機１がある機器（ヘッドセット）とBluetooth接続しているときに、
ＮＦＣ通信可能な他の機器（ＮＦＣモジュール）とＮＦＣ通信可能な位置まで近接されたときの第２の処理を示すフローチャートである。なお、図４に示す処理ステップのうち、図２に示す処理ステップと同じ処理については同じ記号で示す。図２を用いて説明した携帯電話機１の処理では、ステップＳ１０６で携帯電話機１が取得したBluetoothアドレス
を有する機器に対してBluetooth接続の確立を要求するのに対して、図４に示す携帯電話
機１の処理では、携帯電話機１からBluetooth接続の確立を要求しない。
【００３９】
つまり、ＮＦＣ接続を確立した機器からＮＦＣ通信によって取得したBluetoothアドレ
スと現在接続中の機器のBluetoothアドレスとが一致しない場合、（Ｓ１０４のＮｏ）、
接続中の機器とのBluetooth接続を切断し（Ｓ１０５）、その後、対向機器からのBluetooth接続要求を待つ。そして、ＮＦＣ通信によって取得したBluetoothアドレスを有する機
器からの接続要求でなければ（Ｓ２０８のＮｏ）この要求を拒否し（Ｓ２０９）、ＮＦＣ通信によって取得したBluetoothアドレスを有する機器からの接続要求であればこの機器
とのBluetooth接続を確立する（Ｓ２１０）。
【００４０】
ステップＳ２０８のＮＦＣ通信によって取得したBluetoothアドレスを有する機器から
の接続要求は受け付けて、他の機器からの接続要求を拒否する状態は、ステップＳ１０１で検出したＮＦＣ通信可能な第２の機器に再度ＮＦＣ通信可能な位置まで近接され、ＮＦＣ接続が確立することによって解除しても良い。また、ステップＳ１０１で検出した第２の機器とは異なるＮＦＣ通信可能な機器にＮＦＣ通信可能な位置まで近接され、ＮＦＣ接続が確立することによって解除しても良い。もしくは、ＮＦＣ通信によって取得したBluetoothアドレスを有する機器からの接続要求の受付待ち開始時からの経過時刻を算出し、
経過時刻が所定の時間を超えたことを検出すると、この状態を解除しても良い。
【００４１】
なお、上述の説明で、携帯電話機１はＮＦＣ通信とBluetooth通信とが可能であるとし
て説明したが、ＮＦＣ通信とBluetooth通信とに限定されることは無く、ＮＦＣ通信は赤
外線通信などでも良いし、Bluetooth通信は無線ＬＡＮでも良い。第１の通信によって第
２の通信の識別情報を送信することができれば良い。さらに、第１の通信がＮＦＣ通信のようにユーザにとって簡単に接続確立可能であって、第１の通信よりも第２の通信の通信速度が高速であると、第１の通信によって第２の通信の接続に関する情報の送受信だけを行い、第２の通信でデータを送受信するため、ユーザにとって簡単な操作で接続確立することができるとともに、高速なデータ通信を行うことができる。
【００４２】
また、上述の説明では、ヘッドセットや車載機器やＮＦＣモジュールと通信するとして説明したが、これらに限定されることはない。さらに、車載機器とＮＦＣモジュールとが異なる機器である必要もなく、例えばＮＦＣ通信可能であってBluetooth通信可能である
ＰＣから、ＰＣとのＮＦＣ通信によって当該ＰＣのBluetoothアドレスの通知を受け、通
知されたBluetoothアドレスとBluetooth接続中の機器のBluetoothアドレスとを比較して
、一致しなければ接続中の機器とのBluetooth接続を切断して、ＰＣとのBluetooth接続を確立しても良い。
【００４３】
以上説明したような実施形態の構成をとることで、簡単に無線通信の切断と接続を行うことができる無線通信装置を提供することができる。
【００４４】
なお、上記実施形態に限定されることはなく、本発明の要旨を逸脱しない範囲において、適宜変更しても良い。
【符号の説明】
【００４５】
１  携帯電話機、５１  制御部、５１ａ  Bluetooth制御部、５１ｂ  ＮＦＣ制御部、５
２  操作部、５３  表示部、５４  音声入出力部、５５  網通信部、５６  記憶部、５７  Bluetooth通信部、５８  ＮＦＣ通信部
【図１】
2011147004.tif 000003
【図２】
2011147004.tif 000004
【図３】
2011147004.tif 000005
【図４】
2011147004.tif 000006